(57)【特許請求の範囲】
【請求項１】
ボイラの廃熱を回収するための廃熱回収システムであって、
前記ボイラから排出された排ガスが流れる排ガスラインと、
前記排ガスラインに設けられ、前記排ガスと熱媒体との熱交換によって前記排ガスからの熱回収を行うよう構成された廃熱回収装置と、
前記廃熱回収装置の上流側で前記排ガスラインから分岐し、前記廃熱回収装置の下流側で前記排ガスラインに合流する排ガスバイパスラインと、
前記排ガスラインから前記廃熱回収装置への前記排ガスの流量と前記排ガスラインから前記排ガスバイパスラインへの前記排ガスの流量とを調節可能な排ガス流量調節装置と、
前記廃熱回収装置の熱交換部に洗浄液を噴射する洗浄液噴射装置と、
前記排ガス流量調節装置を制御するよう構成された制御装置と、を備え、
前記制御装置は、前記排ガスラインから前記廃熱回収装置への流れを閉止するとともに前記排ガスラインから前記排ガスバイパスラインへの流れを許容するように前記排ガス流量調節装置を制御するバイパスモードを実行可能に構成され、
前記制御装置は、前記バイパスモードの実行中に、前記洗浄液噴射装置を制御して前記熱交換部に洗浄液を噴射させるよう構成される廃熱回収システム。
【請求項２】
前記排ガスラインにおける前記廃熱回収装置の下流側に設けられ、前記排ガスのＳＯｘ濃度を計測可能に構成されたＳＯｘ計と、
前記排ガスラインにおける前記廃熱回収装置の下流側に設けられ、前記排ガスの温度を計測可能に構成された温度計と、
前記ＳＯｘ計によって計測された前記廃熱回収装置の下流側における前記排ガスのＳＯｘ濃度と、前記温度計によって計測された前記廃熱回収装置の下流側における前記排ガスの温度と、に基づいて、前記排ガス流量調節装置を制御するよう構成された制御装置と、
を更に備える請求項１に記載の廃熱回収システム。
【請求項３】
前記制御装置は、前記ＳＯｘ計によって計測された前記廃熱回収装置の下流側における前記排ガスのＳＯｘ濃度に基づいて前記廃熱回収装置の下流側における前記排ガスの酸露点を推定するよう構成された酸露点推定部を含み、
前記制御装置は、前記酸露点推定部で推定された前記廃熱回収装置の下流側での前記排ガスの酸露点と、前記温度計で計測された前記廃熱回収装置の下流側での前記排ガスの温度と、に基づいて、前記排ガス流量調節装置を制御するよう構成された請求項２に記載の廃熱回収システム。
【請求項４】
前記熱交換部を流れる前記熱媒体の流量を調節する熱媒体流量調節装置を更に備え、
前記制御装置は、前記酸露点推定部で推定された前記廃熱回収装置の下流側での酸露点と、前記温度計で計測された前記廃熱回収装置の下流側での前記排ガスの温度と、に基づいて、前記熱媒体流量調節装置を制御するように構成された請求項３に記載の廃熱回収システム。
【請求項５】
前記廃熱回収装置のうち前記熱交換部よりも下流側の部分に、前記排ガスの流れを上方に向ける立ち上がり部が設けられた請求項１〜４の何れか１項に記載の廃熱回収システム。
【請求項６】
前記排ガスラインのうち前記排ガスバイパスラインの合流位置と前記廃熱回収装置との間の流路に、前記排ガスの流れを上方に向ける立ち上がり部が設けられた請求項１〜４の何れか１項に記載の廃熱回収システム。
【請求項７】
前記排ガスラインにおける前記廃熱回収装置の上流側の圧力と前記排ガスラインにおける前記廃熱回収装置の下流側の圧力との差圧を検出する差圧計を更に備え、
前記制御装置は、前記差圧計によって計測した前記差圧が基準差圧を超えた場合に、前記バイパスモードを実行するよう構成される請求項１〜６の何れか１項に記載の廃熱回収システム。
【請求項８】
前記熱交換部の入口側での前記熱媒体の温度を計測する入口側温度計と、前記熱交換部の出口側での前記熱媒体の温度を計測する出口側温度計と、を更に備え、
前記制御装置は、前記入口側温度計の計測結果と前記出口側温度計の計測結果に基づいて算出される前記熱交換部での前記熱媒体の熱吸収量が基準量を下回った場合に、前記バイパスモードを実行するよう構成される請求項１〜７の何れか１項に記載の廃熱回収システム。
【請求項９】
ボイラの廃熱を回収するための廃熱回収システムであって、
前記ボイラから排出された排ガスが流れる排ガスラインと、
前記排ガスラインに設けられ、前記排ガスと熱媒体との熱交換によって前記排ガスからの熱回収を行うよう構成された廃熱回収装置と、
前記廃熱回収装置の上流側で前記排ガスラインから分岐し、前記廃熱回収装置の下流側で前記排ガスラインに合流する排ガスバイパスラインと、
前記排ガスラインから前記廃熱回収装置への前記排ガスの流量と前記排ガスラインから前記排ガスバイパスラインへの前記排ガスの流量とを調節可能な排ガス流量調節装置と、
前記排ガスラインにおける前記廃熱回収装置の下流側に設けられ前記排ガスの含有水分量を計測する水分計と、
前記水分計によって計測した前記排ガスの含有水分量が閾値を超えた場合に、前記廃熱回収装置の熱交換部から前記熱媒体が漏洩していると判定する漏洩判定部と、
を備える廃熱回収システム。
【請求項１０】
前記排ガス流量調節装置は、
前記排ガスラインのうち前記排ガスバイパスラインの分岐位置より下流側かつ前記排ガスバイパスラインの合流位置より上流側の流路に設けられた廃熱回収側ダンパ装置と、
前記排ガスバイパスラインに設けられたバイパス側ダンパ装置と、
を含む請求項１〜９の何れか１項に記載の廃熱回収システム。
【請求項１１】
ボイラの廃熱を回収するための廃熱回収システムの運転方法であって、
前記廃熱回収システムは、
前記ボイラから排出された排ガスが流れる排ガスラインと、
前記排ガスラインに設けられ、前記排ガスと熱媒体との熱交換によって前記排ガスからの熱回収を行うよう構成された廃熱回収装置と、
前記廃熱回収装置の上流側で前記排ガスラインから分岐し、前記廃熱回収装置の下流側で前記排ガスラインに合流する排ガスバイパスラインと、
前記排ガスラインから前記廃熱回収装置への前記排ガスの流量と前記排ガスラインから前記排ガスバイパスラインへの前記排ガスの流量とを調節可能な排ガス流量調節装置と、
前記廃熱回収装置の熱交換部に洗浄液を噴射する洗浄液噴射装置と、
を備え、
前記廃熱回収システムの運転方法は、
前記排ガス流量調節装置によって前記排ガスラインから前記廃熱回収装置への流れを閉止するとともに前記排ガスラインから前記排ガスバイパスラインへの流れを許容するバイパスステップと、
前記排ガス流量調節装置によって前記排ガスラインから前記廃熱回収装置への流れを閉止するとともに前記排ガスラインから前記排ガスバイパスラインへの流れを許容した状態において、前記洗浄液噴射装置によって前記熱交換部に洗浄液を噴射する洗浄液噴射ステップとを含む、廃熱回収システムの運転方法。
【発明の詳細な説明】
【技術分野】
【０００１】
本開示は、ボイラの廃熱を回収するための廃熱回収システム及びその運転方法に関する。
【背景技術】
【０００２】
ボイラによって燃焼される石油等の燃料には硫黄等の腐食成分が含まれている。このため、ボイラの排ガスの温度が酸露点を下回ると、亜硫酸ガス（ＳＯ２）およびＳＯ３が硫酸となって結露し、結露した硫酸によって排ガスが通過する設備に酸腐食が生じてしまう。
【０００３】
特許文献１には、廃熱回収ボイラ内を流れる排ガス中の腐食成分の含有率が変化する場合でも、廃熱回収ボイラでの廃熱回収率を向上させるとともに給水予熱器の酸腐食を防止することを目的とした廃熱回収システムが開示されている。
【０００４】
特許文献１に記載の廃熱回収システムでは、廃熱回収ボイラ内を通過する排ガスの酸露点が高い場合には、給水ポンプ等からの給水が給水予熱器をバイパスするように給水流路を切り替えることで、排ガスと接触する給水予熱器の表面温度が酸露点以下にならないようにしている。一方、排ガスの酸露点温度が低い場合には、給水が給水予熱器内に流れるように給水流路を切り替えることで、廃熱回収率の向上を図っている。
【先行技術文献】
【特許文献】
【０００５】
【特許文献１】特開２００２／３６４８０２号
【発明の概要】
【発明が解決しようとする課題】
【０００６】
特許文献１に記載の廃熱回収システムでは、給水ポンプからの被加熱水が給水予熱器（廃熱回収装置）をバイパスするようにバイパス弁を開いて給水予熱器入口弁を閉じても、給水予熱器内には依然として被加熱水が残存しているため、給水予熱器の温度が排ガスの温度と等しい温度に上昇するまでは、排ガスが給水加熱器に冷却されることとなる。このため、被加熱水をバイパスさせても給水加熱器との熱交換による排ガスの温度低下を速やかに回避することができず、給水加熱器の下流側の付帯設備（排ガスが流れるダクトや煙突等の設備）における酸腐食を効果的に抑制することが困難であった。
【０００７】
本発明は、上述したような従来の課題に鑑みなされたものであって、その目的とするところは、廃熱回収装置の下流側の付帯設備における酸腐食を効果的に抑制することを可能とする廃熱回収システム、及びその運転方法を提供することである。
【課題を解決するための手段】
【０００８】
（１）本発明の少なくとも一実施形態に係る廃熱回収システムは、ボイラの廃熱を回収するための廃熱回収システムであって、前記ボイラから排出された排ガスが流れる排ガスラインと、前記排ガスラインに設けられ、前記排ガスと熱媒体との熱交換によって前記排ガスからの熱回収を行うよう構成された廃熱回収装置と、前記廃熱回収装置の上流側で前記排ガスラインから分岐し、前記廃熱回収装置の下流側で前記排ガスラインに合流する排ガスバイパスラインと、前記排ガスラインから前記廃熱回収装置への前記排ガスの流量と前記排ガスラインから前記排ガスバイパスラインへの前記排ガスの流量とを調節可能な排ガス流量調節装置と、を備える。
【０００９】
上記（１）に記載の廃熱回収システムでは、廃熱回収装置を通る排ガスは、廃熱回収装置の熱交換部との熱交換によってその温度が低下する。これに対し、排ガスバイパスラインを通る排ガスは、上記熱交換部との熱交換が行われないため、温度を維持したまま排ガスラインに合流する。このため、排ガス流量調節装置によって排ガスラインから廃熱回収装置への排ガスの流量と排ガスラインから排ガスバイパスラインへの排ガスの流量とを調節することにより、排ガスラインと排ガスバイパスラインとの合流位置より下流側を流れる排ガスの温度を速やかに調節することができる。これにより、排ガスラインと排ガスバイパスラインとの合流位置の下流側の排ガスの温度を酸露点を下回らないように速やかに調節することが可能となり、廃熱回収装置の下流側の付帯設備（ダクトや煙突等）における酸腐食を効果的に抑制することが可能となる。
【００１０】
また、上記（１）に記載の廃熱回収システムでは、排ガスラインから廃熱回収装置への排ガスの流れを閉止するとともに排ガスラインから排ガスバイパスラインへの排ガスの流れを許容するように排ガス流量調節装置を調節すれば、ボイラが運転している状態で廃熱回収装置に対する洗浄液による洗浄を行っても、排ガスラインから廃熱回収装置への排ガスの流れが閉止されているため、排ガスの流れに起因する洗浄液の飛散を防ぐことができる。このため、ボイラの運転を停止させることなく廃熱回収装置を洗浄でき、且つ洗浄液の飛散に起因する廃熱回収装置の下流側の付帯設備における腐食を抑制することが可能となる。
【００１１】
なお、上記（１）における「前記排ガスラインから前記廃熱回収装置への前記排ガスの流量と前記排ガスラインから前記排ガスバイパスラインへの前記排ガスの流量とを調節可能な排ガス流量調節装置」は、排ガスラインを流れる排ガスの流入先を廃熱回収装置とバイパスラインとに切り替える機能のみを有していてもよいし、排ガスラインから廃熱回収装置への排ガスの分配量と排ガスラインからバイパスラインへの排ガスの分配量とを調節可能に構成されていてもよい。
【００１２】
（２）幾つかの実施形態では、上記（１）に記載の廃熱回収システムにおいて、前記排ガスラインにおける前記廃熱回収装置の下流側に設けられ、前記排ガスのＳＯｘ濃度を計測可能に構成されたＳＯｘ計と、前記排ガスラインにおける前記廃熱回収装置の下流側に設けられ、前記排ガスの温度を計測可能に構成された温度計と、前記ＳＯｘ計によって計測された前記廃熱回収装置の下流側における前記排ガスのＳＯｘ濃度と、前記温度計によって計測された前記廃熱回収装置の下流側における前記排ガスの温度と、に基づいて、前記排ガス流量調節装置を制御するよう構成された制御装置と、を更に備える。
【００１３】
上記（２）に記載の廃熱回収システムによれば、ＳＯｘ計によって計測された廃熱回収装置の下流側における排ガスのＳＯｘ濃度と、温度計によって計測された廃熱回収装置の下流側における前記排ガスの温度と、に基づいて前記排ガス流量調節装置を制御することにより、排ガスラインと排ガスバイパスラインとの合流位置の下流側における排ガスの温度を酸露点を下回らないように調節することが可能となる。これにより、廃熱回収装置の下流側の付帯設備における酸腐食を効果的に抑制することができる。
【００１４】
（３）幾つかの実施形態では、上記（２）に記載の廃熱回収システムにおいて、前記制御装置は、前記ＳＯｘ計によって計測された前記廃熱回収装置の下流側における前記排ガスのＳＯｘ濃度に基づいて前記廃熱回収装置の下流側における前記排ガスの酸露点を推定するよう構成された酸露点推定部を含み、前記制御装置は、前記酸露点推定部で推定された前記廃熱回収装置の下流側での前記排ガスの酸露点と、前記温度計で計測された前記廃熱回収装置の下流側での前記排ガスの温度と、に基づいて、前記排ガス流量調節装置を制御するよう構成される。
【００１５】
上記（３）に記載の廃熱回収システムによれば、酸露点推定部で推定された前記廃熱回収装置の下流側での排ガスの酸露点と、温度計で計測された廃熱回収装置の下流側での排ガスの温度と、に基づいて前記排ガス流量調節装置を制御することにより、排ガスラインと排ガスバイパスラインとの合流位置の下流側における排ガスの温度を酸露点を下回らないように調節することが可能となる。これにより、廃熱回収装置の下流側の付帯設備における酸腐食を効果的に抑制することができる。
【００１６】
（４）幾つかの実施形態では、上記（３）に記載の廃熱回収システムにおいて、前記熱交換部を流れる前記熱媒体の流量を調節する熱媒体流量調節装置を更に備え、前記制御装置は、前記酸露点推定部で推定された前記廃熱回収装置の下流側での酸露点と、前記温度計で計測された前記廃熱回収装置の下流側での前記排ガスの温度と、に基づいて、前記熱媒体流量調節装置を制御するように構成される。
【００１７】
上記（４）に記載の廃熱回収システムでは、熱交換部を流れる熱媒体の流量が多くなるほど熱媒体による排ガスからの熱回収量を増加させることができる。このため、酸露点推定部で推定された廃熱回収装置の下流側での酸露点と、温度計で計測された廃熱回収装置の下流側での排ガスの温度と、に基づいて熱媒体流量調節装置を制御することにより、廃熱回収装置の下流側の付帯設備における酸腐食を抑制することのできる範囲、すなわち廃熱回収装置の下流側における排ガスの温度が酸露点を下回らない範囲で最大限の熱回収を行うことが可能となる。
【００１８】
（５）幾つかの実施形態では、上記（１）乃至（４）の何れか１項に記載の廃熱回収システムにおいて、前記廃熱回収装置の熱交換部に洗浄液を噴射する洗浄液噴射装置を更に備える。
【００１９】
上記（５）に記載の廃熱回収システムによれば、排ガスラインから廃熱回収装置への排ガスの流れを閉止するとともに排ガスラインから排ガスバイパスラインへの排ガスの流れを許容するように排ガス流量調節装置を調節すれば、ボイラが運転している状態で洗浄液噴射装置による廃熱回収装置の洗浄を行っても、排ガスラインから廃熱回収装置への排ガスの流れが閉止されているため、排ガスの流れに起因する洗浄液の飛散を防ぐことができる。このため、ボイラの運転を停止させることなく廃熱回収装置を洗浄でき、且つ洗浄液の飛散に起因する廃熱回収装置の下流側の付帯設備における腐食を抑制することが可能となる。
【００２０】
（６）幾つかの実施形態では、上記（５）に記載の廃熱回収システムにおいて、前記廃熱回収装置のうち前記熱交換部よりも下流側の部分に、排ガスの流れを上方に向ける立ち上がり部が設けられる。
【００２１】
上記（６）に記載の廃熱回収システムによれば、洗浄液噴射装置によって噴射されて熱交換部を洗浄した後の洗浄水が、廃熱回収装置を流れる排ガスによって廃熱回収装置の下流側へ飛散することが抑制される。したがって、該飛散に起因する立ち上がり部の下流側の設備の腐食を抑制することができる。
【００２２】
（７）幾つかの実施形態では、上記（５）又は（６）に記載の廃熱回収システムにおいて、前記排ガスラインのうち前記バイパスラインの合流位置と前記廃熱回収装置との間の流路に、前記排ガスの流れを上方に向ける立ち上がり部が設けられる。
【００２３】
上記（７）に記載の廃熱回収システムによれば、洗浄液噴射装置によって噴射されて熱交換部を洗浄した後の洗浄水が、排ガスラインを流れる排ガスによって排ガスラインのうちバイパスラインの合流位置の下流側へ飛散することが抑制される。したがって、該飛散に起因する立ち上がり部の下流側の設備の腐食を抑制することができる。
【００２４】
（８）幾つかの実施形態では、上記（５）又は（６）に記載の廃熱回収システムにおいて、前記排ガス流量調節装置を制御するよう構成された制御装置を備え、前記制御装置は、前記排ガスラインから前記廃熱回収装置への流れを閉止するとともに前記排ガスラインから前記排ガスバイパスラインへの流れを許容するように前記排ガス流量調節装置を制御するバイパスモードを実行可能に構成され、前記制御装置は、前記バイパスモードの実行中に、前記洗浄液噴射装置を制御して前記熱交換部に洗浄液を噴射させるよう構成される。
【００２５】
上記（８）に記載の廃熱回収システムによれば、バイパスモードの実行中には、排ガスラインから廃熱回収装置への流れが閉止されているため、洗浄液噴射装置によって熱交換部に噴射した洗浄水が、排ガスによって廃熱回収装置の下流側へ飛散することがない。このため、洗浄水の飛散に起因する廃熱回収装置の下流側の設備の腐食を抑制することができる。
【００２６】
（９）幾つかの実施形態では、上記（８）に記載の廃熱回収システムにおいて、前記排ガスラインにおける前記廃熱回収装置の上流側の圧力と前記排ガスラインにおける前記廃熱回収装置の下流側の圧力との差圧を検出する差圧計を更に備え、前記制御装置は、前記差圧計によって計測した前記差圧が基準差圧を超えた場合に、前記バイパスモードを実行するよう構成される。
【００２７】
廃熱回収装置の熱交換部を構成する伝熱管には、累積使用時間の増大に伴って煤塵等に起因する汚れが堆積する。汚れの堆積によって流路面積が減少すると熱交換部のドラフト損失が増加するため、差圧計によって計測した廃熱回収装置の下流側の圧力との差圧（廃熱回収装置の前後差圧）は、熱交換部の洗浄の要否を判定するための指標にすることができる。そこで、上記（９）に記載のように廃熱回収装置の前後差圧が基準差圧を超えた場合にバイパスモードを実行することにより、熱交換部の洗浄が必要となったタイミングで、バイパスモードの実行とともに自動的に洗浄液噴射装置による熱交換部への洗浄水の噴射が開始されるため、熱交換部の伝熱性能の低下を効果的に抑制しつつ、洗浄水が排ガスによって廃熱回収装置の下流側へ飛散することを抑制することができる。
【００２８】
（１０）幾つかの実施形態では、上記（８）又は（９）に記載の廃熱回収システムにおいて、前記熱交換部の入口側での前記熱媒体の温度を計測する入口側温度計と、前記熱交換部の出口側での前記熱媒体の温度を計測する出口側温度計と、を更に備え、前記制御装置は、前記入口側温度計の計測結果と前記出口側温度計の計測結果に基づいて算出される熱吸収量が基準量を下回った場合に、前記バイパスモードを実行するよう構成される。
【００２９】
廃熱回収装置の熱交換部を構成する伝熱管には、累積使用時間の増大に伴って煤塵等に起因する汚れが堆積する。汚れが堆積すると熱交換部の伝熱性能が低下するため、熱交換部での被加熱水の熱吸収量は、熱交換部の洗浄の要否を判定するための指標にすることができる。そこで、上記（１０）に記載のように熱交換部での被加熱水の熱吸収量が基準量を下回った場合にバイパスモードを実行することにより、熱交換部の洗浄が必要となったタイミングで、バイパスモードの実行とともに自動的に洗浄液噴射装置による熱交換部への洗浄水の噴射が開始されるため、熱交換部の伝熱性能の低下を効果的に抑制しつつ、洗浄水が排ガスによって廃熱回収装置の下流側へ飛散することを抑制することができる。
【００３０】
（１１）幾つかの実施形態では、上記（１）乃至（１０）の何れか１項に記載の廃熱回収システムにおいて、前記排ガスラインにおける前記廃熱回収装置の下流側に設けられ前記排ガスの含有水分量を計測する水分計と、前記水分計によって計測した前記排ガスの含有水分量が閾値を超えた場合、前記熱交換部から前記熱媒体が漏洩していると判定する漏洩判定部と、を備える。
【００３１】
熱交換部から被加熱水が漏洩すると、熱交換部を通過した排ガスの含有水分量が増加するため、水分計によって計測した含有水分量は、腐食によって熱交換部から被加熱水が漏洩しているか否かを判定するための指標にすることができる。そこで、上記（１１）に記載のように水分計によって計測した含有水分量が閾値を超えた場合に熱交換部から被加熱水が漏洩していると判定することで、熱交換部からの被加熱水の漏洩を速やかに精度よく判定することができる。これにより、廃熱回収装置に必要なメンテナンスを速やかに行うことができる。
【００３２】
（１２）幾つかの実施形態では、上記（１）乃至（１１）の何れか１項に記載の廃熱回収システムにおいて、前記排ガス流量調節装置は、前記排ガスラインのうち前記排ガスバイパスラインの分岐位置より下流側かつ前記排ガスバイパスラインの合流位置より上流側の流路に設けられた廃熱回収側ダンパ装置と、前記排ガスバイパスラインに設けられたバイパス側ダンパ装置と、を含む。
【００３３】
上記（１２）に記載の廃熱回収システムによれば、廃熱回収側ダンパ装置及びバイパス側ダンパ装置によって排ガスラインから廃熱回収装置への排ガスの流量と排ガスラインから排ガスバイパスラインへの排ガスの流量とを調節することにより、排ガスラインと排ガスバイパスラインとの合流位置より下流側を流れる排ガスの温度を速やかに調節することができる。これにより、排ガスラインと排ガスバイパスラインとの合流位置の下流側の排ガスの温度を酸露点を下回らないように速やかに調節することが可能となり、廃熱回収装置の下流側の付帯設備（ダクトや煙突等）における酸腐食を効果的に抑制することが可能となる。
【００３４】
また、上記（１２）に記載の廃熱回収システムでは、排ガスラインから廃熱回収装置への排ガスの流れを閉止するとともに排ガスラインから排ガスバイパスラインへの排ガスの流れを許容するように廃熱回収側ダンパ装置及びバイパス側ダンパ装置を調節すれば、ボイラが運転している状態で廃熱回収装置に対する洗浄液による洗浄を行っても、排ガスラインから廃熱回収装置への排ガスの流れが閉止されているため、排ガスの流れに起因する洗浄液の飛散を防ぐことができる。このため、ボイラの運転を停止させることなく廃熱回収装置を洗浄でき、且つ洗浄液の飛散に起因する廃熱回収装置の下流側の付帯設備における腐食を抑制することが可能となる。
【００３５】
（１３）本発明の少なくとも一実施形態に係る廃熱回収システムは、ボイラの廃熱を回収するための廃熱回収システムの運転方法であって、前記廃熱回収システムは、前記ボイラから排出された排ガスが流れる排ガスラインと、前記排ガスラインに設けられ、前記排ガスと熱媒体との熱交換によって前記排ガスからの熱回収を行うよう構成された廃熱回収装置と、前記廃熱回収装置の上流側で前記排ガスラインから分岐し、前記廃熱回収装置の下流側で前記排ガスラインに合流する排ガスバイパスラインと、前記排ガスラインから前記廃熱回収装置への前記排ガスの流量と前記排ガスラインから前記排ガスバイパスラインへの前記排ガスの流量とを調節可能な排ガス流量調節装置と、を備え、前記廃熱回収システムの運転方法は、前記廃熱回収装置の下流側における前記排ガスのＳＯｘ濃度に基づいて前記廃熱回収装置の下流側における前記排ガスの酸露点を推定する酸露点推定ステップと、前記酸露点推定ステップで推定された前記廃熱回収装置の下流側での前記排ガスの酸露点と、前記廃熱回収装置の下流側での前記排ガスの温度と、に基づいて、前記排ガスラインから前記廃熱回収装置への前記排ガスの流量と前記排ガスラインから前記排ガスバイパスラインへの前記排ガスの流量とを前記排ガス流量調節装置によって調節する排ガス流量調節ステップと、を含む。
【００３６】
上記（１３）に記載の廃熱回収システムの運転方法によれば、酸露点推定ステップで推定された廃熱回収装置の下流側での排ガスの酸露点と、廃熱回収装置の下流側での排ガスの温度と、に基づいて排ガス流量調節装置を制御することにより、排ガスラインと排ガスバイパスラインとの合流位置の下流側における排ガスの温度を酸露点を下回らないように調節することが可能となる。これにより、廃熱回収装置の下流側の付帯設備における酸腐食を効果的に抑制することができる。
【００３７】
（１４）本発明の少なくとも一実施形態に係る廃熱回収システムは、ボイラの廃熱を回収するための廃熱回収システムの運転方法であって、前記廃熱回収システムは、前記ボイラから排出された排ガスが流れる排ガスラインと、前記排ガスラインに設けられ、前記排ガスと熱媒体との熱交換によって前記排ガスからの熱回収を行うよう構成された廃熱回収装置と、前記廃熱回収装置の上流側で前記排ガスラインから分岐し、前記廃熱回収装置の下流側で前記排ガスラインに合流する排ガスバイパスラインと、前記排ガスラインから前記廃熱回収装置への前記排ガスの流量と前記排ガスラインから前記排ガスバイパスラインへの前記排ガスの流量とを調節可能な排ガス流量調節装置と、前記廃熱回収装置の熱交換部に洗浄液を噴射する洗浄液噴射装置と、を備え、前記廃熱回収システムの運転方法は、前記排ガス流量調節装置によって前記排ガスラインから前記廃熱回収装置への流れを閉止するとともに前記排ガスラインから前記排ガスバイパスラインへの流れを許容するバイパスステップと、前記排ガス流量調節装置によって前記排ガスラインから前記廃熱回収装置への流れを閉止するとともに前記排ガスラインから前記排ガスバイパスラインへの流れを許容した状態において、前記洗浄液噴射装置によって前記熱交換部に洗浄液を噴射する洗浄液噴射ステップとを含む。
【００３８】
上記（１４）に記載の廃熱回収システムの運転方法によれば、洗浄液噴射ステップにおける洗浄液の噴射時に、排ガス流量調節装置によって前記排ガスラインから前記廃熱回収装置への流れが閉止されているため、洗浄液噴射装置によって熱交換部に噴射した洗浄水が、排ガスによって廃熱回収装置の下流側へ飛散することがない。このため、洗浄水の飛散に起因する廃熱回収装置の下流側の設備の腐食を抑制することができる。また、洗浄液噴射ステップにおける洗浄液の噴射時に、前記排ガスラインから前記排ガスバイパスラインへの流れが許容されているため、ボイラの運転を停止させることなく廃熱回収装置を洗浄できる。このように、上記（１４）に記載の廃熱回収システムの運転方法によれば、ボイラの運転を停止させることなく廃熱回収装置を洗浄でき、且つ洗浄液の飛散に起因する廃熱回収装置の下流側の付帯設備における腐食を抑制することが可能となる。
【発明の効果】
【００３９】
本発明の少なくとも一つの実施形態によれば、廃熱回収装置の下流側の付帯設備における酸腐食を効果的に抑制することを可能とする廃熱回収システム、及びその運転方法が提供される。
【図面の簡単な説明】
【００４０】
【図１】一実施形態に係る廃熱回収システム１００の構成を示す模式図である。
【図２】廃熱回収システム１００の一部の一構成例を示す模式図である。
【図３】廃熱回収システム１００の一部の一構成例を示す模式図である。
【図４】図１に示した制御装置の一構成例を示すブロック図である。
【図５Ａ】廃熱回収システム１００における廃熱回収モードを説明するための模式図である。
【図５Ｂ】廃熱回収システム１００におけるバイパスモードを説明するための模式図である。
【図６】廃熱回収モードとバイパスモードの何れを実行するかを判定するフローの一例を示す図である。
【図７】一実施形態に係る廃熱回収システム２００の構成を示す模式図である。
【発明を実施するための形態】
【００４１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００４２】
図１は、一実施形態に係る廃熱回収システム１００の構成を示す模式図である。図１に示す廃熱回収システム１００は、排ガスライン２、廃熱回収装置４、排ガスバイパスライン６、排ガス流量調節装置８、給水装置１０、脱気器１２、洗浄液噴射装置１４、排水装置１６、制御装置１８、ＳＯｘ計２０、下流側温度計２２、差圧計２４、入口側温度計２６、出口側温度計２８、及び水分計３０を備えており、不図示のボイラの廃熱を回収可能に構成されている。
【００４３】
排ガスライン２は、ボイラから排出された排ガスが流れるよう構成されている。図１には、不図示の節炭器の下流側且つ不図示の煙突の上流側の排ガスライン２を示している。
【００４４】
廃熱回収装置４は、排ガスライン２に設けられ、排ガスと熱媒体との熱交換によって排ガスからの熱回収を行うよう構成されている。図示する形態では、給水装置１０が備える給水タンク３２に貯留された熱媒体としての被加熱水がポンプ３４によって廃熱回収装置４の熱交換部３６に供給される。ポンプ３４は、廃熱回収装置４の熱交換部３６を流れる熱媒体の流量を調節する熱媒体流量調節装置として機能する。熱交換部３６に供給された被加熱水は、排ガスとの熱交換を行った後、脱気器１２に供給されて溶存酸素ガスを除去され、ポンプ３８によって節炭器へ供給される。
【００４５】
排ガスバイパスライン６は、廃熱回収装置４の上流側で排ガスライン２から分岐し、廃熱回収装置４の下流側で排ガスライン２に合流している。
【００４６】
排ガス流量調節装置８は、排ガスライン２のうち排ガスバイパスライン６の分岐位置Ｐ１より下流側かつ排ガスバイパスライン６の合流位置Ｐ２より上流側の流路（以下、廃熱回収ライン４０という。）に設けられた廃熱回収側ダンパ装置４２と、排ガスバイパスライン６に設けられたバイパス側ダンパ装置４４と、を含む。廃熱回収側ダンパ装置４２は、廃熱回収ライン４０における廃熱回収装置４の上流側に設けられた上流側ダンパ４２Ａと、廃熱回収ライン４０における廃熱回収装置４の下流側に設けられた下流側ダンパ４２Ｂとを含む。かかる排ガス流量調節装置８は、廃熱回収側ダンパ装置４２（上流側ダンパ４２Ａ及び下流側ダンパ４２Ｂ）及びバイパス側ダンパ装置４４によって、排ガスライン２から廃熱回収装置４への排ガスの流量と排ガスライン２から排ガスバイパスライン６への排ガスの流量とを調節可能に構成されている。
【００４７】
洗浄液噴射装置１４は、洗浄液噴射部４６、ポンプ４８及び水洗水タンク５０を含む。洗浄液噴射部４６は、廃熱回収装置４の熱交換部３６に洗浄液としての水（水洗水）を噴射することにより熱交換部３６を洗浄するよう構成されている。洗浄液噴射部４６には、水洗水タンク５０に貯留された水がポンプ４８によって供給される。
【００４８】
排水装置１６は、ポンプ４９及び排水タンク５２を含む。洗浄液噴射装置１４によって熱交換部３６に噴射された水は、廃熱回収装置４から排水されて排水タンク５２に貯留された後、ポンプ４９によって廃熱回収システム１００の外に排水される。
【００４９】
ＳＯｘ計２０は、排ガスライン２における廃熱回収装置４の下流側に設けられ、排ガスのＳＯｘ濃度を計測可能に構成されている。下流側温度計２２は、排ガスライン２における廃熱回収装置４の下流側に設けられ、排ガスの温度を計測可能に構成されている。差圧計２４は、廃熱回収ライン４０における廃熱回収装置４の上流側の圧力と廃熱回収ライン４０における廃熱回収装置４の下流側の圧力との差圧（廃熱回収装置４の前後差圧）を計測可能に構成されている。入口側温度計２６は、熱交換部３６の入口側での熱媒体の温度を計測可能に構成されている。出口側温度計２８は、熱交換部３６の出口側での熱媒体の温度を計測可能に構成されている。水分計３０は、排ガスライン２における廃熱回収装置４の下流側に設けられ、排ガスの含有水分量を計測可能に構成されている。
【００５０】
上記廃熱回収システム１００では、廃熱回収装置４を通る排ガスは、廃熱回収装置４の熱交換部３６との熱交換によってその温度が低下する。これに対し、排ガスバイパスライン６を通る排ガスは、上記熱交換部３６との熱交換が行われないため、温度を維持したまま排ガスライン２に合流する。このため、排ガス流量調節装置８によって排ガスライン２から廃熱回収装置４への排ガスの流量と排ガスライン２から排ガスバイパスライン６への排ガスの流量とを調節することにより、排ガスライン２と排ガスバイパスライン６との合流位置Ｐ２より下流側を流れる排ガスの温度を速やかに調節することができる。これにより、排ガスライン２と排ガスバイパスライン６との合流位置Ｐ２の下流側の排ガスの温度を酸露点を下回らないように速やかに調節することが可能となり、廃熱回収装置４の下流側の付帯設備（ダクトや煙突等）における酸腐食を効果的に抑制することが可能となる。
【００５１】
図２は、図１に示した廃熱回収システム１００の一部の一構成例を模式的に示す図である。一実施形態では、図２に示すように、廃熱回収装置４のうち熱交換部３６よりも下流側の部分に、排ガスの流れを上方に向ける立ち上がり部５４が設けられていてもよい。これにより、洗浄液噴射装置１４によって噴射されて熱交換部３６を洗浄した後の洗浄水が、廃熱回収装置４を流れる排ガスによって廃熱回収装置４の下流側へ飛散することが抑制される。したがって、該飛散に起因する立ち上がり部５４の下流側の設備の腐食を抑制することができる。
【００５２】
図３は、図１に示した廃熱回収システム１００の一部の一構成例を模式的に示す図である。一実施形態では、図３に示すように、排ガスライン２のうち、排ガスバイパスライン６の合流位置Ｐ２と廃熱回収装置４との間の流路に、排ガスの流れを上方に向ける立ち上がり部５４が設けられていてもよい。これにより、洗浄液噴射装置１４によって噴射されて熱交換部３６を洗浄した後の洗浄水が、排ガスライン２を流れる排ガスによって排ガスライン２のうち排ガスバイパスライン６の合流位置Ｐ２の下流側へ飛散することが抑制される。したがって、該飛散に起因する立ち上がり部５４の下流側の設備の腐食を抑制することができる。
【００５３】
図４は、図１に示した制御装置１８の一構成例を示すブロック図である。図４に示す制御装置１８は、排ガス流量調節装置制御部５６、ポンプ制御部５８、酸露点推定部６０、及び漏洩判定部６２を含む。
【００５４】
排ガス流量調節装置制御部５６は、図１に示した排ガス流量調節装置８における廃熱回収側ダンパ装置４２（上流側ダンパ４２Ａ及び下流側ダンパ４２Ｂ）及びバイパス側ダンパ装置４４を制御することにより、排ガスライン２から廃熱回収装置４への排ガスの流量と排ガスライン２から排ガスバイパスライン６への排ガスの流量とを調節するよう構成されている。排ガス流量調節装置制御部５６は、廃熱回収モード及びバイパスモードを実行可能に構成されている。
【００５５】
廃熱回収モードは、排ガスライン２から排ガスバイパスライン６への排ガスの流れを閉止するとともに排ガスライン２から廃熱回収装置４への流れを許容するよう排ガス流量調節装置８を制御するモードであり、例えば廃熱回収側ダンパ装置４２（上流側ダンパ４２Ａ及び下流側ダンパ４２Ｂ）を全開にするとともにバイパス側ダンパ装置４４を全閉にすることで実現される（図５Ａに示す状態）。
【００５６】
バイパスモードは、排ガスライン２から廃熱回収装置４への排ガスの流れを閉止するとともに排ガスライン２から排ガスバイパスライン６への排ガスの流れを許容するように排ガス流量調節装置８を制御するモードであり、例えば廃熱回収側ダンパ装置４２（上流側ダンパ４２Ａ及び下流側ダンパ４２Ｂ）を全閉にするとともにバイパス側ダンパ装置４４を全開にすることで実現される（図５Ｂに示す状態）。
【００５７】
酸露点推定部６０は、ＳＯｘ計２０によって計測された廃熱回収装置４の下流側における排ガスのＳＯｘ濃度に基づいて廃熱回収装置４の下流側における排ガスの酸露点Ｔｄを推定するよう構成されている。
【００５８】
排ガス流量調節装置制御部５６は、酸露点推定部６０で推定された廃熱回収装置４の下流側での排ガスの酸露点Ｔｄと、下流側温度計２２で計測された廃熱回収装置４の下流側での排ガスの温度Ｔと、に基づいて、排ガス流量調節装置８を制御するよう構成されている。例えば、排ガス流量調節装置制御部５６は、下流側温度計２２で計測された廃熱回収装置４の下流側での排ガスの温度Ｔが、酸露点推定部６０で推定された廃熱回収装置４の下流側での排ガスの酸露点Ｔｄに対応する基準温度Ｔｔｈ以上である場合に廃熱回収モードを実行し、下流側温度計で計測された廃熱回収装置４の下流側での排ガスの温度Ｔが、基準温度Ｔｔｈを下回った場合にバイパスモードを実行するよう構成されていてもよい。これにより、廃熱回収装置４の下流側における排ガスの温度Ｔを酸露点Ｔｄを下回らないように調節することが可能となり、廃熱回収装置４の下流側の付帯設備における酸腐食を効果的に抑制することができる。なお、上記基準温度Ｔｔｈは、酸露点Ｔｄに対してマージンを加味して、酸露点Ｔｄよりも高い温度を設定してもよい。
【００５９】
ポンプ制御部５８は、ポンプ３４，３８，４８，４９を制御するよう構成されている。ポンプ制御部５８は、給水装置１０のポンプ３４を制御することにより、廃熱回収装置４の熱交換部３６を流れる熱媒体の流量を調節するよう構成されている。ポンプ制御部５８は、洗浄液噴射装置１４のポンプ４８を制御することにより、洗浄液噴射部４６から熱交換部３６に洗浄水を噴射させるよう構成されている。ポンプ制御部５８は、排水装置１６のポンプ４９を制御することにより、排水タンク５２から洗浄後の洗浄水を排水させるよう構成されている。
【００６０】
ポンプ制御部５８は、酸露点推定部６０で推定された廃熱回収装置４の下流側での酸露点Ｔｄと、下流側温度計２２で計測された廃熱回収装置４の下流側での排ガスの温度Ｔと、に基づいて、給水装置１０のポンプ３４を制御するように構成されている。ポンプ制御部５８は、例えば、下流側温度計２２で計測された廃熱回収装置４の下流側での排ガスの温度Ｔが、酸露点推定部６０で推定された廃熱回収装置４の下流側での排ガスの酸露点Ｔｄに対応する基準温度Ｔｔｈ以上である場合に、下流側温度計２２で計測された廃熱回収装置４の下流側での排ガスの温度Ｔが、酸露点推定部６０で推定された廃熱回収装置４の下流側での排ガスの酸露点Ｔｄに対応する基準温度Ｔｔｈを下回る場合よりも、熱交換部３６を流れる熱媒体の流量が多くなるように、給水装置１０のポンプ３４を制御してもよい。これにより、廃熱回収装置４の下流側の付帯設備における酸腐食を抑制可能な範囲、すなわち廃熱回収装置４の下流側における排ガスの温度Ｔが酸露点Ｔｄを下回らない範囲で最大限の熱回収を行うことが可能となる。
【００６１】
ポンプ制御部５８は、バイパスモードの実行中に、洗浄液噴射装置１４のポンプ４８を制御して熱交換部３６に洗浄液を噴射させるよう構成されている。バイパスモードの実行中には、排ガスライン２から廃熱回収装置４への流れが閉止されているため、洗浄液噴射装置１４によって熱交換部３６に噴射した洗浄水が、排ガスによって廃熱回収装置４の下流側へ飛散することがない。このため、洗浄水の飛散に起因する廃熱回収装置４の下流側の設備の腐食を抑制することができる。
【００６２】
一実施形態では、排ガス流量調節装置制御部５６は、差圧計２４によって計測した差圧ΔＰが基準差圧ΔＰｔｈを超えた場合に、バイパスモードを実行するよう構成されていてもよい。廃熱回収装置４の熱交換部３６を構成する伝熱管には、累積使用時間の増大に伴って煤塵等に起因する汚れが堆積する。汚れの堆積によって流路面積が減少すると熱交換部３６でのドラフト損失が増加するため、差圧計２４によって計測した差圧ΔＰｔｈは、熱交換部３６の洗浄の要否を判定するための指標にすることができる。そこで、上記のように差圧ΔＰが基準差圧ΔＰｔｈを超えた場合にバイパスモードを実行することにより、熱交換部３６の洗浄が必要となったタイミングで、バイパスモードの実行とともに自動的に洗浄液噴射装置１４による熱交換部３６への洗浄水の噴射が開始されるため、熱交換部３６の伝熱性能の低下を効果的に抑制しつつ、洗浄水が排ガスによって廃熱回収装置４の下流側へ飛散することを抑制することができる。
【００６３】
一実施形態では、排ガス流量調節装置制御部５６は、入口側温度計２６の計測結果と出口側温度計２８の計測結果に基づいて算出される熱交換部３６での被加熱水の熱吸収量Ｑが基準量を下回った場合に、バイパスモードを実行するよう構成されてもよい。廃熱回収装置４の熱交換部３６を構成する伝熱管には、累積使用時間の増大に伴って煤塵等に起因する汚れが堆積する。汚れが堆積すると熱交換部３６の伝熱性能が低下するため、熱交換部３６での被加熱水の熱吸収量Ｑは、熱交換部３６の洗浄の要否を判定するための指標にすることができる。そこで、上記のように熱交換部３６での被加熱水の熱吸収量Ｑが基準量Ｑｔｈを下回った場合にバイパスモードを実行することにより、熱交換部３６の洗浄が必要となったタイミングで、バイパスモードの実行とともに自動的に洗浄液噴射装置１４による熱交換部３６への洗浄水の噴射が開始されるため、熱交換部３６の伝熱性能の低下を効果的に抑制しつつ、洗浄水が排ガスによって廃熱回収装置４の下流側へ飛散することを抑制することができる。
【００６４】
漏洩判定部６２は、水分計３０によって計測した排ガスライン２における廃熱回収装置４の下流側での排ガスの含有水分量Ｍが閾値Ｍｔｈを超えた場合、熱交換部３６から被加熱水が漏洩していると判定するよう構成されている。熱交換部３６から被加熱水が漏洩すると、熱交換部３６を通過した排ガスの含有水分量が増加するため、水分計３０によって計測した含有水分量Ｍは、腐食によって熱交換部３６から被加熱水が漏洩しているか否かを判定するための指標にすることができる。そこで、上記のように水分計３０によって計測した含有水分量Ｍが閾値を超えた場合に熱交換部３６から被加熱水が漏洩していると判定することで、熱交換部３６からの被加熱水の漏洩を速やかに精度よく判定することができる。これにより、廃熱回収装置４に必要なメンテナンスを速やかに行うことができる。
【００６５】
次に、制御装置１８における、廃熱回収モードとバイパスモードの何れを実行するかを判定するフローの一例を図６を用いて説明する。
【００６６】
まず、Ｓ１１で、下流側温度計２２で計測された廃熱回収装置４の下流側での排ガスの温度Ｔが、酸露点推定部６０で推定された廃熱回収装置４の下流側での排ガスの酸露点Ｔｄに対応する基準温度Ｔｔｈを下回っているか否かを判定する。Ｓ１１で、排ガスの温度Ｔが基準温度Ｔｔｈを下回っていないと判定された場合は、Ｓ１２で、差圧計２４によって計測した廃熱回収装置４の前後差圧ΔＰが基準差圧ΔＰｔｈを超えているか否かを判定する。Ｓ１２で前後差圧ΔＰが基準差圧ΔＰｔｈを超えていないと判定された場合は、Ｓ１３で、入口側温度計２６の計測結果と出口側温度計２８の計測結果に基づいて算出される熱交換部３６での被加熱水の熱吸収量Ｑが基準量Ｑｔｈを下回っているか否かを判定する。Ｓ１３で、熱吸収量Ｑが基準量Ｑｔｈを下回っていないと判定された場合は、Ｓ１４で、廃熱回収モードを実行し、Ｓ１１に戻る。Ｓ１１で排ガスの温度Ｔが基準温度Ｔｔｈを下回っていると判定された場合、Ｓ１２で前後差圧ΔＰが基準差圧ΔＰｔｈを超えていると判定された場合、及び、Ｓ１３で熱吸収量Ｑが基準量Ｑｔｈを下回っていると判定された場合は、Ｓ１５で、バイパスモードを実行するとともにバイパスモードの実行中に洗浄液噴射装置１４による洗浄水の噴射を行う。
【００６７】
上記フローによれば、廃熱回収装置４の下流側における排ガスの温度Ｔを酸露点Ｔｄを下回らないように調節することが可能となり、廃熱回収装置４の下流側の付帯設備における酸腐食を抑制することができる。また、熱交換部３６の洗浄が必要となったタイミングで、バイパスモードの実行とともに自動的に洗浄液噴射装置１４による熱交換部３６への洗浄水の噴射が開始されるため、熱交換部３６の伝熱性能の低下を効果的に抑制しつつ、洗浄水が排ガスによって廃熱回収装置４の下流側へ飛散することを抑制することができる。
【００６８】
一実施形態では、排ガス流量調節装置制御部５６は、下流側温度計２２で計測された廃熱回収装置４の下流側での排ガスの温度Ｔに基づいて、排ガスライン２を流れる排ガスを廃熱回収装置４（廃熱回収ライン４０）と排ガスバイパスライン６とに分配するよう構成されていてもよい。この場合、廃熱回収装置４の下流側での排ガスの温度Ｔが酸露点Ｔｄを下回らない条件下で廃熱回収装置４による熱回収量を最大化するように、廃熱回収側ダンパ装置４２（上流側ダンパ４２Ａ及び下流側ダンパ４２Ｂ）の開度、及びバイパス側ダンパ装置４４の開度を調節することにより、廃熱回収装置４の下流側の付帯設備における酸腐食をより効果的に抑制することができる。
【００６９】
本発明は上述した実施形態に限定されることはなく、上述した実施形態に変形を加えた形態や、これらの形態を適宜組み合わせた形態も含む。
【００７０】
例えば、図１に示した排ガス流量調節装置８は、廃熱回収側ダンパ装置４２（上流側ダンパ４２Ａ及び下流側ダンパ４２Ｂ）及びバイパス側ダンパ装置４４を含んでいたが、排ガス流量調節装置８の構成はこれに限らず、例えば図７に示すように、排ガスラインにおける排ガスバイパスライン６の分岐位置Ｐ１に設けられた一つの三方弁６４のみで構成されていてもよい。また、図７に示す形態において、排ガス流量調節装置８は、三方弁６４に加えて、排ガスバイパスライン６から廃熱回収ライン４０への逆流を防ぐために、排ガスライン２における排ガスバイパスライン６の合流位置Ｐ２と廃熱回収装置４との間に設けられた下流側ダンパ４２Ｂを含んでいてもよい。
【符号の説明】
【００７１】
２  排ガスライン
４  廃熱回収装置
６  排ガスバイパスライン
８  排ガス流量調節装置
１０  給水装置
１２  脱気器
１４  洗浄液噴射装置
１６  排水装置
１８  制御装置
２０  ＳＯｘ計
２２  下流側温度計
２４  差圧計
２６  入口側温度計
２８  出口側温度計
３０  水分計
３２  給水タンク
３４  ポンプ
３６  熱交換部
３８
４０  廃熱回収ライン
４２  廃熱回収側ダンパ装置
４２Ａ  上流側ダンパ
４２Ｂ  下流側ダンパ
４４  バイパス側ダンパ装置
４６  洗浄液噴射部
４８  ポンプ
４９  ポンプ
５０  水洗水タンク
５２  排水タンク
５４  立ち上がり部
５６  排ガス流量調節装置制御部
５８  ポンプ制御部
６０  酸露点推定部
６２  漏洩判定部
６４  三方弁
１００  廃熱回収システム
２００  廃熱回収システム
【図１】
0006482936.tif 000002
【図２】
0006482936.tif 000003
【図３】
0006482936.tif 000004
【図４】
0006482936.tif 000005
【図５Ａ】
0006482936.tif 000006
【図５Ｂ】
0006482936.tif 000007
【図６】
0006482936.tif 000008
【図７】
0006482936.tif 000009